(57)【要約】【課題】  取り付けが簡単であり、確実に忘れ物が存在することを利用者に報知することで忘れ物を防止することのできるセキュリティーシステム及びそのプログラムを提供する。【解決手段】  本発明の第２の実施例によれば、リーダ／ライタ１１とＩＣタグ２１とが通信不可能状態となった場合に、携帯電話機１０のＧＰＳ機能を利用して位置情報を取得し、当該取得した位置情報を携帯電話機１０に表示させることにより、ユーザは、忘れ物の存在する位置情報を容易に把握することができる。したがって、本発明によれば、簡単にセキュリティーシステムを構築することができるだけでなく、忘れ物等の存在場所（位置情報）を確実に利用者へ報知することができる。【選択図】        図４
2005304002.tif 000002
【特許請求の範囲】
【請求項１】
対象に装着されるＩＣタグと、
前記ＩＣタグと所定時間毎に通信する機能を備えたリーダ／ライタと、
前記リーダ／ライタを搭載した携帯情報端末と、から構成され、
前記携帯情報端末は、
前記リーダ／ライタと前記ＩＣタグとの通信が不可能となった時点で第１の警報を発し、
前記リーダ／ライタと前記ＩＣタグとが、再度、通信可能となった時点で第２の警報を発する機能を搭載し、
さらに、前記リーダ／ライタと前記ＩＣタグとが通信不可能となった時点で該携帯情報端末の位置情報を取得する位置情報取得機能を搭載し、
前記位置情報取得機能により取得した位置情報を表示することを特徴とするセキュリティーシステム。
【請求項２】
前記携帯情報端末は、
前記リーダ／ライタと前記ＩＣタグとが通信不可能となった時点で前記位置情報取得機能により位置情報を取得するタイミングを、電波環境に応じて適宜変更することを特徴とする請求項１記載のセキュリティーシステム。
【請求項３】
前記第１の警報及び前記第２の警報は、
互いに異なる又は同一の音／発光／振動／画面情報／の何れか、又は、これらの組み合わせであり、前記携帯情報端末から任意に設定変更可能であることを特徴とする請求項１又は２に記載のセキュリティーシステム。
【請求項４】
前記位置情報取得機能は、
複数の基地局との受信電波強度に基づいて位置情報を取得することを特徴とする請求項１から３の何れか１項に記載のセキュリティーシステム。
【請求項５】
前記位置情報取得機能は、
基地局を介してＧＰＳ衛星との通信により、位置情報を取得することを特徴とする請求項１から４の何れか１項に記載のセキュリティーシステム。
【請求項６】
前記ＩＣタグは、
固有の識別番号が付与され、前記ＩＣタグに前記携帯情報端末から前記リーダ／ライタを介して、前記対象との関連付けデータを任意に設定変更可能であることを特徴とする請求項１から５の何れか１項に記載のセキュリティーシステム。
【請求項７】
前記携帯情報端末は、
前記ＩＣタグに付与される固有の識別番号と前記携帯情報端末の操作部を介して任意に設定される前記対象との関連付けデータを該携帯情報端末側で管理することを特徴とする請求項１から５の何れか１項に記載のセキュリティーシステム。
【請求項８】
前記携帯情報端末は、
通信回線を介して運用サーバと接続され、前記ＩＣタグに付与される固有の識別番号と対象との関連付けデータを任意に設定変更する機能を有し、
前記機能により任意に設定された関連付けデータを前記運用サーバに送信し、該運用サーバ側で前記関連付けデータを管理することを特徴とする請求項１から５の何れか１項に記載のセキュリティーシステム。
【請求項９】
前記携帯情報端末は、
通信回線を介して運用サーバと接続され、前記第１の警報及び前記位置情報取得機能により取得した位置情報を該運用サーバに対して送信する機能を具備することを特徴とする請求項８記載のセキュリティーシステム。
【請求項１０】
前記運用サーバは、
前記通信回線を介してアクセス可能な端末装置に対してセキュリティーシステムに関する情報番組を提供し、当該番組内でＩＣタグを装着した状態で紛失した物又は人に関する情報を提供することを特徴とする請求項９記載のセキュリティーシステム。
【請求項１１】
前記リーダ／ライタと前記ＩＣタグとの通信状態を確認するために該リーダ／ライタから送信される確認信号は、前記携帯情報端末の操作部を介して任意に設定されるタイミングで送信されることを特徴とする請求項１から１０の何れか１項に記載のセキュリティーシステム。
【請求項１２】
対象に装着されるＩＣタグと、
前記ＩＣタグと所定時間毎に通信する機能を備えたリーダ／ライタと、
前記リーダ／ライタを搭載した携帯情報端末と、から構成されるセキュリティーシステムのプログラムであって、
前記携帯情報端末に、
前記リーダ／ライタと前記ＩＣタグとの通信が不可能となった時点で第１の警報を報知させる第１報知処理と、
前記リーダ／ライタと前記ＩＣタグとが、再度、通信可能となった時点で第２の警報を報知させる第２報知処理と、
さらに、前記リーダ／ライタと前記ＩＣタグとが通信不可能となった時点で該携帯情報端末の位置情報を取得させる位置情報取得処理と、
前記位置情報取得処理により取得した位置情報を表示させる表示処理と、
を実行させることを特徴とするセキュリティーシステムのプログラム。
【請求項１３】
前記携帯情報端末は、
通信回線を介して運用サーバと接続され、該携帯情報端末に前記第１の警報の報知及び前記位置情報取得機能により取得した位置情報を該運用サーバに対して送信する処理を実行させることを特徴とする請求項１２記載のセキュリティーシステムのプログラム。
【請求項１４】
前記携帯情報端末の紛失時に、
該携帯情報端末の機能を制限する制限処理を実行させることを特徴とする請求項１２又は１３記載のセキュリティーシステムのプログラム。
【請求項１５】
前記位置情報取得処理は、
電波環境に応じて位置情報の取得タイミングを変更することを特徴とする請求項１２から１４の何れか１項に記載のセキュリティーシステムのプログラム。
【発明の詳細な説明】
【技術分野】
【０００１】
本発明は、セキュリティーシステム及びそのプログラムに関し、特にＩＣタグを用いたセキュリティーシステム及びそのプログラムに関する。
【背景技術】
【０００２】
従来、忘れ物防止や置き引き等を防止するセキュリティーシステムとして、小型送信機と小型受信機とからなるシステムが知られている。このシステムは、例えば、送信機をかばんなどに取り付けておき、受信機を携帯するようにしておく。送信機から一定時間ごとに受信機が受信可能な周波数帯域の電波信号を送信し、受信機側で当該電波信号を受信できなくなった状態で警報音を報知するといったものである。
【０００３】
昨今の携帯電話機の普及に伴い、このような送信機としての機能を携帯電話機に搭載することも現実化されつつある。
【０００４】
以上のような技術としては、以下に示すようなものが公開特許公報として一般に知られている。
【０００５】
特許文献１としての特開平１１−３４６３８９号公報は、携帯電話機を親機とし、所持品に係着させる装置を子機とし、親機と子機との通信が不可能となった時点で親機が警報を発するようにすることで、忘れ物を防止する忘れ物防止機能付き携帯電話機が開示されている。
【０００６】
特許文献２としての特開２０００−２８７２６５号公報は、子機と親機としての携帯電話機とからなり、子機が携帯電話機から所定距離以上離れると、電波が届かなくなり、携帯電話機が音を発することにより、忘れ物や迷子を防止する忘れ物・迷子防止装置及び携帯端末機器が開示されている。
【０００７】
特許文献３としての特開２００１−２８３３５１号公報は、親機と子機とからなり、親機が一定の時間断続的に子機に電波を送信し、子機がこの電波を受信するとすぐに親機に電波を送信し、親機は子機からの電波を確認するといった周期を繰り返し、この周期が狂うと親機が反応してブザー等で知らせることで、忘れ物を防止する忘れ物防止機が開示されている。
【特許文献１】特開平１１−３４６３８９号公報
【特許文献２】特開２０００−２８７２６５号公報
【特許文献３】特開２００１−２８３３５１号公報
【発明の開示】
【発明が解決しようとする課題】
【０００８】
しかしながら、上述した特許文献１〜３の発明は、何れも親機と子機との通信を実現するため、双方に電源を保持しなければならないという不具合があった。
【０００９】
例えば、子機の電源が切れてしまった場合、実際には忘れていないにも係らず、親機からの確認信号に対して返信することができず、常に忘れ物がある旨を報知し続ける状態が発生してしまうという問題があった。
【００１０】
最近では、ＲＦＩＤ（Radio Frequency Identification） 技術が注目されている。このＲＦＩＤとは、電波を用いて非接触方式によりデータキャリアを認識する固体認識技術である。この技術によれば、従来と比較して情報の更新や追加が簡便である上、複数固体を一括認識することができる。このデータキャリア自体に電源は必要なく、データキャリアに対しての読み書きを行うリーダ／ライタの電源により動作する仕組みである。
【００１１】
本発明は、上記不具合に鑑みて成されたものであり、非接触方式により電源を必要としないタイプのＩＣタグを用いることで、取り付けが簡単であり、確実に忘れ物／迷子等が存在することを利用者に報知するセキュリティーシステム及びそのプログラムを提供することを目的とする。
【課題を解決するための手段】
【００１２】
上記目的を達成するために、本発明は、対象に装着されるＩＣタグと、前記ＩＣタグと所定時間毎に通信する機能を備えたリーダ／ライタと、前記リーダ／ライタを搭載した携帯情報端末と、から構成され、前記携帯情報端末は、前記リーダ／ライタと前記ＩＣタグとの通信が不可能となった時点で第１の警報を発し、前記リーダ／ライタと前記ＩＣタグとが、再度、通信可能となった時点で第２の警報を発する機能を搭載し、さらに、前記リーダ／ライタと前記ＩＣタグとが通信不可能となった時点で該携帯情報端末の位置情報を取得する位置情報取得機能を搭載し、前記位置情報取得機能により取得した位置情報を表示することを特徴とする。
【００１３】
また、前記携帯情報端末は、前記リーダ／ライタと前記ＩＣタグとが通信不可能となった時点で前記位置情報取得機能により位置情報を取得するタイミングを、電波環境に応じて適宜変更することを特徴とする。
【００１４】
また、前記第１の警報及び前記第２の警報は、互いに異なる又は同一の音／発光／振動／画面情報／の何れか、又は、これらの組み合わせであり、前記携帯情報端末から任意に設定変更可能であることを特徴とする。
【００１５】
また、前記位置情報取得機能は、複数の基地局との受信電波強度に基づいて位置情報を取得することを特徴とする。
【００１６】
また、前記位置情報取得機能は、基地局を介してＧＰＳ衛星との通信により、位置情報を取得することを特徴とする。
【００１７】
また、前記ＩＣタグは、固有の識別番号が付与され、前記ＩＣタグに前記携帯情報端末から前記リーダ／ライタを介して、前記対象との関連付けデータを任意に設定変更可能であることを特徴とする。
【００１８】
また、前記携帯情報端末は、前記ＩＣタグに付与される固有の識別番号と前記携帯情報端末の操作部を介して任意に設定される前記対象との関連付けデータを該携帯情報端末側で管理することを特徴とする。
【００１９】
また、前記携帯情報端末は、通信回線を介して運用サーバと接続され、前記ＩＣタグに付与される固有の識別番号と対象との関連付けデータを任意に設定変更する機能を有し、  前記機能により任意に設定された関連付けデータを前記運用サーバに送信し、該運用サーバ側で前記関連付けデータを管理することを特徴とする。
【００２０】
また、前記携帯情報端末は、通信回線を介して運用サーバと接続され、前記第１の警報及び前記位置情報取得機能により取得した位置情報を該運用サーバに対して送信する機能を具備することを特徴とする。
【００２１】
また、前記運用サーバは、前記通信回線を介してアクセス可能な端末装置に対して、請求項１から７の何れかに記載のセキュリティーシステムに関する情報番組を提供し、当該番組内でＩＣタグを装着した状態で紛失した物又は人に関する情報を提供することを特徴とする。
【００２２】
さらに、前記リーダ／ライタと前記ＩＣタグとの通信状態を確認するために該リーダ／ライタから送信される確認信号は、前記携帯情報端末の操作部を介して任意に設定されるタイミングで送信されることを特徴とする。
【００２３】
本発明は、対象に装着されるＩＣタグと、前記ＩＣタグと所定時間毎に通信する機能を備えたリーダ／ライタと、前記リーダ／ライタを搭載した携帯情報端末と、から構成されるセキュリティーシステムのプログラムであって、前記携帯情報端末に、前記リーダ／ライタと前記ＩＣタグとの通信が不可能となった時点で第１の警報を報知させる第１報知処理と、前記リーダ／ライタと前記ＩＣタグとが、再度、通信可能となった時点で第２の警報を報知させる第２報知処理と、さらに、前記リーダ／ライタと前記ＩＣタグとが通信不可能となった時点で該携帯情報端末の位置情報を取得させる位置情報取得処理と、前記位置情報取得処理により取得した位置情報を表示させる表示処理と、を実行させることを特徴とする。
【００２４】
また、前記携帯情報端末は、通信回線を介して運用サーバと接続され、該携帯情報端末に前記第１の警報の報知及び前記位置情報取得機能により取得した位置情報を該運用サーバに対して送信する処理を実行させることを特徴とする。
【００２５】
また、前記携帯情報端末の紛失時に、該携帯情報端末の機能を制限する制限処理を実行させることを特徴とする。
【００２６】
さらに、前記位置情報取得処理は、電波環境に応じて位置情報の取得タイミングを変更することを特徴とする。
【発明の効果】
【００２７】
本発明によれば、非接触方式のＩＣタグを携帯品に貼り付け又は装着し、当該ＩＣタグと通信するリーダ／ライタをユーザが所有する携帯電話機に装着するだけで、簡単にセキュリティーシステムを構築することができる。
【００２８】
また、本発明によれば、ＩＣタグがリーダ／ライタからの送信された無線電波を電力に変換して応答信号を送信するため電源を搭載する必要がないので、従来のように電池切れによりシステムを利用できないといった不具合を十分に解消することができる。
【００２９】
また、本発明によれば、忘れ物が存在することを報知する警報、忘れ物が近くに存在することを示す警報、を音、発光、振動、文字情報、画像情報などにより利用者に報知するので、忘れ物の存在を確実に報知することができる。
【００３０】
さらに、本発明によれば、リーダ／ライタとＩＣタグとが通信不可能状態となった時の携帯電話機の位置情報を取得して当該取得した位置情報を携帯電話機に表示させるので、ユーザは、忘れ物の存在する位置情報を容易に把握することができる。
【発明を実施するための最良の形態】
【００３１】
以下、添付図面を参照しながら本発明に係るセキュリティーシステム及びそのプログラムの実施の形態を詳細に説明する。図１から図６に、本発明に係るセキュリティーシステム及びそのプログラムの実施例を示す。
【実施例１】
【００３２】
図１は、本発明の第１の実施例であるセキュリティーシステムの概略構成を示す図である。図１に示すように、本発明の第１の実施例であるセキュリティーシステムは、携帯電話機１０と、当該携帯電話機１０に搭載されるリーダ／ライタ１１と、携帯品（鞄、手帳、キーホルダー、財布など）２０に貼付又は装着されるＩＣタグ（ＩＣシール）２１と、を有して構成される。
【００３３】
携帯電話機１０は、通常の送受信機能を搭載する携帯電話機（ＰＨＳ機も含む）であり、表示部や操作部を備えている。この携帯電話機１０は、インターネット網を介して接続されるＷｅｂサイト上から当該システムを利用するためのアプリケーションプログラムをダウンロードして各種動作制御を行う。
【００３４】
リーダ／ライタ１１は、携帯電話機１０に外付けされ、携帯電話機から供給される電力又は外付けリーダ／ライタが搭載する電池により動作し、ＩＣタグ２１との間で無線により所定時間毎に通信を行う機能を備えている。
なお、リーダ／ライタ１１は、外付けに限らず、予め携帯電話機１０に内蔵する構成としてもよい。このリーダ／ライタ１１とＩＣタグ２１との通信可能距離としては、５ｍ程度である。
【００３５】
ＩＣタグ（ＩＣシール）２１は、携帯品２０に貼付されて用いられ、特定の周波数帯域の無線電波を受信することにより動作する。このＩＣタグ２１は、ＣＰＵ２１１と、ＲＯＭ２１２と、ＲＡＭ２１３と、ＥＥＰＲＯＭ２１４と、コプロ（コプロセッサ）２１５と、Ｉ／Ｆ（インタフェース）２１６と、がＩＣチップとして形成され、その周縁を囲むようにアンテナ（ループアンテナ）２１７が配設されて構成される。なお、ＩＣタグの構成に関しては、必ずしも上記構成に限定されるものではない。
【００３６】
このＩＣタグ２１には、製造段階で予め固有の改ざん不可能な識別番号（シリアル番号）が付与されていたり、或いは、製造段階で空白状態にしておき後で任意に識別番号が設定されると共に、利用者により携帯品の固別データが携帯電話機１０の操作部からリーダ／ライタ１１を介して書き込まれている。ここで書き込まれるデータは、以上に限定されず、利用者の住所、氏名、連絡先といったユーザ情報も書き込むことが可能である。
【００３７】
なお、ＩＣタグ２１の個数は、１つに限定されるものではなく、複数備える構成としてもよい。また、ＩＣタグ２１の形状は、カード形状を備えるものとして説明したが、ラベル型、コイン型、スティック型などと用途に併せて適宜用いることが可能であり、特に限定されるものではない。
【００３８】
図２は、本発明の第１の実施例であるセキュリティーシステムを利用する際の初期設定動作を示すフローチャートである。まず、本システムの利用者（以下、ユーザと称す）は、ＩＣタグ２１を携帯品（例えば、カバンなど）２０に貼り付け又は装着し、リーダ／ライタ１１をユーザ所有の携帯電話機１０に装着する（ステップＳ１）。
【００３９】
次に、ユーザは、携帯電話機１０の操作メニューからＩＣタグの初期設定画面を立ち上げる（ステップＳ２）。ユーザは、操作部を用いてユーザ情報（氏名、住所、連絡先、etc.）を登録後（ステップＳ３）、携帯品２０の関連付けデータ（例えば、携帯品がカバンであることを示すデータ）を登録して（ステップＳ４）、初期設定処理を終了する。ここで初期設定されたデータは、リーダ／ライタ１１を介して無線通信により、ＩＣタグ２１のＥＥＰＲＯＭ２１４に書き込まれる。この際、書き込み対象外のＩＣタグがある場合には、これらを書き込み電波の電波範囲外としておく。
【００４０】
例えば、「カバン」、「財布」、「定期入れ」の夫々にＩＣタグを装着して用いる場合、ＩＣタグ２１ａ〜ｃに書き込まれる関連付けデータは、以下のようなデータとなる。なお、＜No.-------------＞は改ざん不可能な各ＩＣタグ固有の識別番号である。
（１）ＩＣタグ２１ａ＜No.000000002043003＞＝カバン
（２）ＩＣタグ２１ｂ＜No.000000002043004＞＝財布
（３）ＩＣタグ２１ｃ＜No.000000002043005＞＝定期入れ
【００４１】
なお、これらのデータが書き込まれるＥＥＰＲＯＭ２１４は、電気的に書き換え可能な記録媒体であるため、一度初期設定処理により設定したデータでも、携帯電話機１０を介して所定の消去処理を行った後、再度新しい携帯品の関連付けデータを設定することも可能である。また、関連付けを行うタイミングは任意であり、例えば、出先などでの登録も可能であり、さらには登録しておいた関連付けデータの削除や変更なども可能である。
また、携帯電話機の操作部を用いて登録されるユーザ情報や関連付けデータをＩＣタグ自体に書き込まず、携帯電話機側のメモリに記憶させて管理することも可能である。
さらに、予め登録された関連付けデータは、出かける際にリーダ／ライタ１１により持ち物に装着されたＩＣタグを読み取って当日分の持ち物登録処理を行うことが可能である。
【００４２】
図３は、本発明の第１の実施例であるセキュリティーシステムの動作例を示すシーケンスチャートである。まず、リーダ／ライタ１１が装着された携帯電話機１０は、当該リーダ／ライタ１１を介して携帯品２０に貼り付けられたＩＣタグ２１に対して確認信号を送信する（ステップＳ１１）。携帯電話機１０は、リーダ／ライタ１１を介してＩＣタグ２１への確認信号を送信後、タイマ機能によりＩＣタグ２１からの応答信号を受信するまでの間隔をカウントする。
【００４３】
ＩＣタグ２１は、リーダ／ライタ１１を介して送信された確認信号を受信すると、応答信号を送信する（ステップＳ１２）。携帯電話機１０は、ＩＣタグ２１からの応答信号を受信すると、タイマ機能によるカウントを停止し、次にＩＣタグ２１に対して確認信号を送信するまでの所定時間をタイマ機能によりカウントする。
なお、リーダ／ライタ１１が装着された携帯電話機１０とＩＣタグ２１との通信間隔は、ユーザにより任意に設定変更が可能である。
【００４４】
携帯電話機１０は、ＩＣタグ２１からの応答信号が返信される間、すなわち、ＩＣタグ２１と通信可能状態の場合には、ステップＳ１１の処理を繰り返し行う。ＩＣタグ２１は、リーダ／ライタ１１を介して送信される確認信号を受信する毎に、応答信号の送信を行う（ステップＳ１２）。
【００４５】
携帯電話機１０は、リーダ／ライタ１１を介してＩＣタグ２１に対して確認信号を送信後、タイマ機能により応答信号を受信するまでの間隔が所定値を超過した場合（通信不可能状態）、ＩＣタグ２１からの応答信号が無いと判断し（ステップＳ１３）、ユーザに第１警報（携帯品２０を忘れている旨）を報知する（ステップＳ１４）。
【００４６】
ユーザは、携帯電話機１０を介して第１警報が報知されると、リーダ／ライタ１１を装着した状態の携帯電話機１０を所持したまま、携帯品２０を置き忘れたと思われる場所へ出向いて当該携帯品２０を探す。なお、ユーザは、必ずしも第１警報が報知された直後に携帯品２０を探す必要はなく、任意のタイミングで携帯品２０の所在を探査するようにしてもよい。
【００４７】
携帯電話機１０は、ユーザに第１警報を報知した後、再度、リーダ／ライタ１１を介してＩＣタグ２１へ一定時間毎に確認信号を送信し（ステップＳ１５）、ＩＣタグ２１からの応答信号の有無を確認する（ステップＳ１６）。ステップＳ１６において、ＩＣタグ２１からの応答信号がない場合には（応答なし）、再度、第１警報を報知する（ステップＳ１４）。
【００４８】
ユーザは、リーダ／ライタ１１が装着された携帯電話機１０を所持した状態で置き忘れた携帯品２０の近隣（通信可能状態）へ移動すると、ＩＣタグ２１は、リーダ／ライタ１１を介して送信された確認信号に対する応答信号を送信する（ステップＳ１７）。
【００４９】
携帯電話機１０は、ステップＳ１６において、ＩＣタグ２１からの応答信号を受信すると（応答あり）、ユーザに第１警報とは異なる第２警報（忘れ物＜携帯品２０＞が近隣に存在する旨）を報知する（ステップＳ１８）。
【００５０】
ここでの警報とは、音（着信メロディー）／発光／振動（バイブレーション機能）／文字／画像の何れか、又は、これらの組み合わせである。例えば、警報として音を設定する場合には、ユーザ所望の音種を選択設定することが可能であり、例えば、Ｗｅｂサイトからダウンロードした着信メロディーとしたり、自身が録音した音声によるものであったり、或いは、自動音声再生機能等を利用した文字入力したメッセージを再生するようにしてもよい。
【００５１】
また、第１警報と第２警報とは、それぞれ異なるものであればよく、何れも着信音を設定した場合には、異なる音種であればよい。さらに、第１警報を音、第２警報を発光あるいは振動といった設定や第１警報及び第２警報を同一とすることも任意である。
【００５２】
またさらに、警報として文字や画像を設定する場合には、例えば、第１警報として「財布を忘れています！」と報知し、第２警報として「見つかりました！」といった文字と財布を示す画像などをイメージとして報知させることも可能である。このような画像は、Ｗｅｂサイトからダウンロードした画像を用いることも可能である
なお、上述した各種設定は携帯情報端末の画面上からユーザが任意に設定変更可能であり、個別のアイテム（対象）に対して別個の警報を設定することもでき、特に限定されるものではない。
【００５３】
これらの第１警報及び第２警報は、通話中であるか否かを問わず警報報知可能であり、例えば、通話中の場合には、割り込み表示や音声警報等により報知するようにするとよい。
【００５４】
上述したように、リーダ／ライタ１１とＩＣタグ２１との通信可能距離は、略５ｍ程度である。したがって、ユーザは、置き忘れた携帯品２０が現在位置から略５ｍ程度の距離（半径略５ｍ以内）に存在することを認識できる。
【００５５】
本発明の第１の実施例によれば、非接触方式のＩＣタグを携帯品に貼り付け又は装着し、リーダ／ライタを携帯電話機に装着することで簡単にセキュリティーシステムを構築することができる。
【００５６】
また、ＩＣタグは、携帯電話機に装着されたリーダ／ライタ１１から送信された確認信号を受信し、当該受信した確認信号（無線電波）を電力に変換してＩＣチップを駆動することにより、応答信号を送信することができるので、電源を搭載する必要がない。したがって、従来のように電池切れによりシステムを利用できないといった不具合が生じることがない。
【００５７】
さらに、本発明の第１の実施例において、携帯電話機１０にＩＣタグ２１から返信される信号（応答信号）の強度を測定する機能を設け、置き忘れた携帯品２０の捜索時に応答信号の受信強度に基づいて、着信音量や発光パターン、振動パターンなどを自動的に変更するように制御してもよい。この制御モードは、第２警報を報知した後、ユーザ自らが携帯電話機の操作部からモード切替設定を行っても、携帯電話機１０のアプリケーションプログラムとして、第２警報を報知後、自動的にモード切替を行うようにしてもよい。また、リーダ／ライタ１１とＩＣタグ２１との通信可能距離を、例えば、略５ｍモードと略１０ｃｍモードの２つのモードに切り替え可能な構成とし、略５ｍモードで携帯品２０の概略の捜索範囲を認知し、略１０ｃｍモードに切り替えて携帯品２０の位置を特定させるようにしてもよい。
【００５８】
なお、上記したモードは一例を示すものであり通信可能距離を限定するものではなく、例えば、複数段階で設定可能なモード切り替え機構を備える場合には、ユーザにより任意に設定することが可能である。
【００５９】
また、ＩＣタグとリーダ／ライタとの通信は、ユーザの任意操作（例えば、電源ＯＦＦや探査動作の終了等）により一時的に解除することが可能であるが、電源をＯＮしたり、通信を許可する任意操作（探査動作の開始や警戒動作の開始等）によって、或いは、警戒動作の場合、再びＩＣタグとリーダ／ライタとが通信可能距離となった時点で自動的にシステムを起動するようにしてもよい。
【００６０】
さらに、探査動作の場合、リーダ／ライタとＩＣタグと通信状態を確認するための該リーダ／ライタから送信される確認信号は、携帯情報端末の操作部を介してユーザにより任意に設定されるタイミングで送信するようにしても良い。例えば、携帯電話機の操作部に設けられた探査スイッチ（探査動作起動用）を入れた瞬間ごとに一度通信を行うようにする。この例では、例えば、各部屋等に移動してから、スイッチを入れるようにすれば良いので、スイッチを押す回数が増え手間はかかるものの  消費電量を抑えることができる等の効果が期待できる。もちろん、常時送信するようにしてもよいことは言うまでもない。
【実施例２】
【００６１】
図４は、本発明の第２の実施例であるセキュリティーシステムの概略構成を示す図である。図４において、本発明の第２の実施例であるセキュリティーシステムは、上述した本発明の第１の実施例の構成に加え、携帯電話機１０にＧＰＳ機能を搭載し、さらに、基地局３０と、該基地局３０と通信するＧＰＳ衛星４０と、を有して構成される。
【００６２】
携帯電話機１０は、第１の実施例と同様に、通常の通信機能を備え、操作部、表示部を具備するものであるが、新たにＧＰＳ機能を搭載している。
【００６３】
このＧＰＳ機能とは、携帯電話機１０の自己位置情報を検出する機能である。通常、携帯電話機１０の自己位置情報を検出する場合、所定の操作により携帯電話機１０からＧＰＳ信号を送信し、当該携帯電話機１０から基地局３０に無線通信回線網を介してアクセス後、自己位置の検出要求を送信する。ＧＰＳ衛星４０は、携帯電話機１０から送信されたＧＰＳ信号をキャッチすると、基地局３０に対して携帯電話機１０の位置情報（緯度、経度、高度）を送信する。基地局３０は、ＧＰＳ衛星４０から送信された位置情報を、例えば、住所情報あるいは地図情報として携帯電話機１０へ送信する。以上により、携帯電話機１０の自己位置情報を取得することができる。
【００６４】
本発明の第２の実施例は、リーダ／ライタ１１とＩＣタグ２１とが通信不可能となった時点で携帯電話機１０（リーダ／ライタ１１が装着されている）の自己位置情報をＧＰＳ機能により取得し、携帯電話機１０を介してこの位置情報をユーザに通知するものである。
【００６５】
図５は、本発明の第２の実施例であるセキュリティーシステムの動作例を示すシーケンスチャートである。まず、リーダ／ライタ１１が装着された携帯電話機１０は、上述した第１の実施例と同様に、ＩＣタグ２１に対して確認信号を送信する（ステップＳ２１）。
【００６６】
ＩＣタグ２１は、リーダ／ライタ１１を介して送信された確認信号を受信すると、応答信号を送信する（ステップＳ２２）。
【００６７】
なお、リーダ／ライタ１１を介して送信される確認信号に対してＩＣタグ２１から応答信号が返信され、当該応答信号をリーダ／ライタ１１で受信可能な状況下、つまり、通信可能状態の場合には、以上のステップＳ２１及びステップＳ２２の処理が繰り返し行われる。
【００６８】
ここで、リーダ／ライタ１１とＩＣタグ２１とが通信不可能状態となった場合を説明する。携帯電話機１０は、再び、ＩＣタグ２１に対して確認信号を送信する（ステップＳ２３）。
【００６９】
しかしながら、ＩＣタグ２１が貼り付けられた又は装着された携帯品２０が置き忘れられ、通信不可能状態にある場合には、当該ＩＣタグ２１は、リーダ／ライタ１１を介して送信される確認信号を受信することができないので、応答信号を送信することができない。
【００７０】
そこで、携帯電話機１０は、リーダ／ライタ１１を介して確認信号を送信後、タイマ機能によりＩＣタグ２１からの応答信号を受信するまでの間隔が所定値を超過すると、応答信号が無いと判断し（ステップＳ２４）、ＧＰＳ機能によりＧＰＳ信号を送信し（ステップＳ２５）、自己位置情報の取得要求を基地局３０に対して送信する（ステップＳ２６）。
【００７１】
基地局３０は、ＧＰＳ衛星４０との通信により、携帯電話機１０の位置情報（緯度、経度、高度）を取得し（ステップＳ２７）、この取得した位置情報を携帯電話機１０へ送信する（ステップＳ２８）。
【００７２】
携帯電話機１０は、基地局３０から送信された位置情報を取得すると、取得した位置情報及び当該位置情報を取得した時刻情報を画面上に表示する（ステップＳ２９）。
【００７３】
また、携帯電話機１０の位置情報取得処理に関しては、ユーザが特別な処理を行う必要はなく、予めモード設定等を行っておくことにより自動的に取得処理を行うようにしておけばよい。
【００７４】
なお、位置情報の取得に際しては、電波環境に大きく左右されるので、位置情報の取得タイミングに関しては、ＩＣタグ２１との通信が不可能となった時点で電波環境が良ければ直後に取得し、電波環境が悪い場合にはタイミングをずらし、良好となった段階で取得するようにするとよい。
【００７５】
図６は、携帯電話機の表示部に表示される位置情報及び時刻情報の表示画面例を示す図である。
図６（ａ）の場合、「忘れ物情報」として、何を忘れているか（カバン）、何処に忘れているか（住所表示）、何時ごろ忘れたものか（時刻表示）、が表示されている。この場合、全て文字情報として表示される。
また、図６（ｂ）の場合、何処に忘れているか（地図表示）、何を忘れているか（財布）、何時ごろ忘れているか（時刻表示）が表示されている。この場合、地図情報はグラフィックで表示され、それ以外の情報は文字情報として表示される。
なお、上記表示は、通話中であるか否かを問わず表示可能であり、例えば、通話中の場合には、割り込み表示や音声警報を行うことにより忘れ物情報を報知するようにするとよい。
【００７６】
本発明の第２の実施例によれば、リーダ／ライタ１１とＩＣタグ２１とが通信不可能状態となった場合に、携帯電話機１０のＧＰＳ機能を利用して位置情報を取得し、当該取得した位置情報を携帯電話機１０に表示させることにより、ユーザは、忘れ物の存在する位置情報を容易に把握することができる。
【００７７】
また、本発明の第２の実施例においては、位置情報の取得にＧＰＳ機能を用いる方法を示したが、これに限定されるものではない。
【００７８】
例えば、図７に示すように、携帯電話機１０から一定時間毎に電波を送信し、当該電波をキャッチした複数の基地局３１〜３３の間でその受信強度から携帯電話機１０の大まかな位置情報を検出するといった方法も可能である。この場合、複数の基地局間（３１〜３３）における信号強度に基づく位置情報の算出処理は、当該携帯電話機１０とインターネット接続されるサーバ５０で行うようにするとよい。携帯電話機１０は、自己位置情報を検出する際には、このサーバ５０にアクセスして位置情報を取得するようにする。
【００７９】
なお、上述した実施例は本発明に好適な実施例であり、本発明の主旨を逸脱しない範囲内において種々変形して実施することが可能である。
【００８０】
例えば、本発明の第１の実施例と第２の実施例とを組み合わせた構成とすることも可能である。この場合、忘れ物が存在する時点（リーダ／ライタ１１とＩＣタグ２１との通信が不可能）で第１警報を報知する。次に、ＧＰＳ機能により携帯電話機１０の位置情報を表示部に表示し、この位置情報に基づいてユーザが忘れ物を探しに行き、リーダ／ライタ１１とＩＣタグ２１との通信が可能となった時点で第２警報を報知するようにすることも可能である。
【００８１】
また、初期設定時にＩＣタグ２１に書き込んだ情報（ユーザ情報、携帯品の関連付けデータなど）を、通信回線網を介して接続される第３者機関のサーバなどに登録しておき、例えば、駅や警察などの公的機関における遺失物の引渡し時の認証情報として利用することも可能である。
【００８２】
なお、上述した実施例は、携帯品の忘れ物という前提において説明したものであるが、特に財布などの場合には盗難にあうといった可能性があるため、ＩＣタグを財布に貼り付け又は装着しておくことで、盗難にあった場合でも、本システムを用いて財布を捜索することが可能である。
【００８３】
また、子供が携帯する物品（例えば、名札、靴、洋服など）にＩＣタグを貼り付けておくことで、迷子になってしまう状況を未然に防いだり、仮に迷子になってしまった場合でも、本システムを用いて容易に捜索を行うことが可能である。
【００８４】
また、添乗員が同行するツアー旅行の場合には、旅行客のツアーバッジ等にＩＣタグを貼り付けておくことで、誰かが遠くに離れた段階で警報が鳴ってその氏名を表示したり、添乗員による人数確認やはぐれた人の捜索等に用いたりすることも可能である。
【００８５】
また、本システムによれば、携帯電話機を置き忘れた場合でも、ＩＣタグを貼り付けた物品を携帯していれば、当該携帯電話機（リーダ／ライタ）とＩＣタグとの通信が不可能な状態（一定距離離れる）になると、携帯電話機が着信音を鳴動、発光あるいは振動するので、即座に携帯電話機を置き忘れたことを認識することが可能である。
【００８６】
さらに、店舗内に陳列される商品に予めＩＣタグを貼り付け、店員が携帯電話機を所有するようにしておき、開店前に商品に貼り付けられたＩＣタグとの関連付け処理を行っておくことによる万引き防止システムとしての適用も可能である。なお、店舗スペースが広い場合には、複数回に分けて商品とＩＣタグとの関連付け処理を行うようにするとよい。
【実施例３】
【００８７】
本発明の第３の実施例として、図７に示されるサーバを上述した第１及び第２の実施例に示されるセキュリティーシステムを運用する上での運用サーバとして利用することも可能である。例えば、初期設定時にＩＣタグ（ＩＣシール）へ書き込んだ情報を該運用サーバに通信回線（インターネットなど）を介して登録しておき、又は、初期設定時にＩＣタグ固有の識別番号と個人情報並びに関連付けデータを運用サーバにて管理するようにし、当該ＩＣタグが貼り付けられた物品の紛失発生と同時に又は一定時間経過後に自動的又は手動で、警報発報と物品紛失時の位置情報とを運用サーバへ送信して登録するようにしておく。このようにすることにより、紛失者（ユーザ）自身が所有する携帯電話機以外からの他の携帯電話機や運用サーバにアクセス可能な環境下にあるＰＣやモバイル端末からのアクセスが可能となり、紛失物の現状をシステム運用会社により提供されるＷｅｂサイト（番組）等を利用して確認することができる。なお、紛失物を発見した場合には、再取得した旨を自動的に又は手動で、運用サーバに通知するようにする。
【００８８】
ユーザは、システム運用会社側から予めＩＣタグの付与を受けておき、上述したように個人情報（持ち主情報としての住所、氏名、連絡先、パスワードなど）を運用サーバに登録しておく。このＩＣタグには、上述したようにＩＣタグ毎に異なるシリアル番号が付与されており、それ以外にシステム運用会社の連絡先や運用サーバへのアクセス情報であるＵＲＬ等が記録されている。
この連絡先の情報に関しては、例えば、紛失物の拾得者が目視により確認可能なように後で書き込むようにしても、ＩＣタグの表面にバーコード表示や印刷等で行うようにしてもよい。このことにより、紛失物の拾得者は、当該紛失物に貼り付けられているＩＣタグに印刷又は記録されている運用サーバのＵＲＬ情報やシステム運用会社の連絡先等をリーダ／ライタ又はバーコードリーダ等で或いはＯＣＲなどの文字読み取り機能により読み込み、システム運用側へ容易にアクセスし、紛失物の届出を連絡することができる。
なお、必ずしもシステム運用会社により提供される番組にアクセスして届け出る必要はなく、直接持ち主にアクセスできる場合には、直接連絡（電話連絡など）してもよい。紛失物の発見者に対する要請事項（番組への連絡、本人への直接連絡、拾得物の処分など）は、関連付けデータの登録時に予め設定しておくことも可能である。
【００８９】
システム運用側である運用サーバは、紛失物に関する情報が届けられた場合には、当該紛失物の持ち主であるユーザに対して紛失物発見の情報を提供するようにし、引渡し等に関する段取りについての詳細を決定することが可能である。この場合、持ち主であるユーザに対して紛失物を送付する手配を行ったり、紛失物が不要な場合には処分させるように指示したりすることも可能である。
【００９０】
上記第３の実施例では、第三者が紛失物を拾得した場合を示したが、例えば、ＩＣタグと通信可能なリーダ／ライタ機能と同様の機能を有する装置を予め各所（ビル内や街の電柱、駅構内など）に設けておき、単なる紛失に限らず、盗難などの場合も対応可能なように構成することが可能である。この場合、リーダ／ライタにより検出された情報は、直ちに運用サーバへ紛失物に関する情報を送信し、持ち主であるユーザに対して連絡するようにする。
【００９１】
また、システム運用側は、運用サーバを利用してＷｅｂ上に掲示板コーナーを立ち上げ、物品を紛失したユーザからの遺失物問い合わせ情報を掲載するといったことも可能である。この場合、システム運用側は、書き込みのあった情報に対応する紛失物の届出があるか否かを検索し、該当する紛失物の届出があった場合には、速やかに持ち主であるユーザに対して連絡を行うようにする。
【００９２】
さらに、迷子に限らず、誘拐等の犯罪が発生した場合、保護者等から運用サーバへ探査依頼を送信し、迷子或いは誘拐の当事者となった人物が身に付けている持ち物等に装着されるＩＣタグのシリアル番号を届け、運用サーバから公共機関の各所に設置されるリーダ／ライタ機能により探査を行うようにしたり、或いは、番組への会員登録を行っている各会員が所有する携帯情報端末に対して探査依頼を送信し、探査モードによる迷子・誘拐探査を実施し、発見した場合、警報を発したり、運用サーバに対して発見位置情報を送信したり、といった利用も可能である。
【００９３】
またさらに、携帯電話機自体を紛失した場合（関連付けを行った他の持ち物との通信が不可能状態）、拾得者による携帯電話機の不正使用を防止するため、一定時間経過後に自動的にロック機能がかかるように制御する。この場合、携帯電話機の画面上には、システム運用会社の連絡先情報が表示され、さらに一定時間ごとに位置情報や時間情報を送信するようにする。よって、拾得者による不正使用を防止することができると共に、携帯電話機の位置情報をユーザは運用サーバに別途アクセスして確認することができる。
なお、このようなシステムの利用に関しては、アプリケーションプログラムを記録したＣＤ−ＲＯＭなどを市販したり、ネット上で販売するなどの方法により頒布することが可能である。
【図面の簡単な説明】
【００９４】
【図１】本発明の第１の実施例を示す概略構成図である。
【図２】本発明の第１の実施例におけるＩＣタグの初期設定時の動作例を示すフローチャートである。
【図３】本発明の第１の実施例による動作を示すシーケンスチャートである。
【図４】本発明の第２の実施例を示す概略構成図である。
【図５】本発明の第２の実施例による動作を示すシーケンスチャートである。
【図６】本発明の第２の実施例における携帯電話機の表示画面例を示す平面図である。
【図７】複数の基地局による携帯電話機の位置情報検出を示すシステム構成図である。
【符号の説明】
【００９５】
１０  携帯電話機
１１  リーダ／ライタ
２０  携帯品
２１  ＩＣタグ（ＩＣシール）
３０  基地局
４０  ＧＰＳ衛星
５０  サーバ
２１１  ＣＰＵ
２１２  ＲＯＭ
２１３  ＲＡＭ
２１４  ＥＥＰＲＯＭ
２１５  コプロ
２１６  Ｉ／Ｆ（インタフェース）
２１７  アンテナ（ループアンテナ）
【図１】
2005304002.tif 000003
【図２】
2005304002.tif 000004
【図３】
2005304002.tif 000005
【図４】
2005304002.tif 000006
【図５】
2005304002.tif 000007
【図６】
2005304002.tif 000008
【図７】
2005304002.tif 000009